(57)【特許請求の範囲】
【請求項１】
筐体内に景品が収容される景品取得ゲーム機において、
景品が載置される複数の景品フロアを個別に上下方向に摺動させて高さを調整する、前記複数の景品フロアのそれぞれに対応する複数の昇降機構が配置され、
前記複数の景品フロアが上下方向で重なるように前記昇降機構に装着され、
前記複数の昇降機構は、前記複数の景品フロアを密着させた状態から個別に移動させて高さを調整できることを特徴とする景品取得ゲーム機。
【請求項２】
筐体の奥側に配置された前記昇降機構に装着された景品フロアが、前面側に配置された前記昇降機構に装着された景品フロアの上側になることを特徴とする請求項１記載の景品取得ゲーム機。
【請求項３】
複数のターミナルを連結して構成されるものであって、
前記ターミナルの水平断面の形状を扇形とし、前記複数の景品フロアの形状を前記扇形の中心角位置を共通にした扇形の一部とすることを特徴とする請求項１記載の景品取得ゲーム機。
【請求項４】
前記昇降機構は、
少なくとも前記景品フロアを上下方向に摺動可能とする高さを有して構成されて筐体に固定された台座と、
上部に前記景品フロアが装着され、前記台座と係合されて前記台座に沿って上下方向に摺動される昇降部と、
前記昇降部を任意の高さで前記台座に対して係止するロック機構とを含むことを特徴とする請求項１〜３の何れかに記載の景品取得ゲーム機。
【請求項５】
前記ロック機構は、
前記昇降部の上端部に水平方向に回転可能とするハンドルと、
前記ハンドルの回転に伴って軸回転するシャフトと、
前記シャフトの軸回転により前記昇降部と共に前記台座に連続して上下方向に配置された穴の何れかに貫通するロックロッドとを含むことを特徴とする請求項４記載の景品取得ゲーム機。
【発明の詳細な説明】
【技術分野】
【０００１】
本発明は、景品フロアに載置された景品をキャッチャー部等の操作によって獲得できる景品取得ゲーム機に関する。
【背景技術】
【０００２】
一般に、クレーンゲーム機等の景品取得ゲーム機では、筐体（ケーシング）内の景品フロアに複数の景品を載置し、これをキャッチャー部（クレーン機構）等の操作によってプレイヤに獲得させる。
【０００３】
従来の景品取得ゲーム機では、景品をプレイヤにアピールしたり、景品の形状やサイズに応じて獲得し易さを変化させるなどのために、景品フロアの高さを調整することが行われている。
【０００４】
例えば、景品の展示高さを調整するための景品置き台を用いたり、載置台の高さを調整する機構を備えたものがある（例えば、特許文献１）。
【０００５】
特許文献１に記載されたクレーンゲーム機では、ケーシング内に景品を載置する複数の景品載置台を設け、この複数の景品載置台に、それぞれ個別に高さ調節することができる摺動装置を設けている。
【特許文献１】特開２００６−６８２１９号公報
【発明の開示】
【発明が解決しようとする課題】
【０００６】
このように従来のクレーンゲーム機では、景品載置台を個別に高さ調整するために、隣接した、異なる高さに調整された景品載置台の境界付近には景品を載置することができない。従って、複数の景品載置台を設けると、個々の景品載置台の面積が狭くなり載置可能な景品の数が限られてしまう。従って、景品載置台に景品を載置してプレイヤにアピールすることができず、ゲームへの参加意欲を向上させることが困難となってしまう。また、筐体内に収容可能な景品の数も制限されてしまう。
【０００７】
本発明は前述した事情に考慮してなされたもので、その目的は、景品を載置するための複数の景品フロアの高さを個別に調整できると共に、各景品フロアに載置できる景品の数を増やして、筐体内に収納される景品数を増大させることが可能な景品取得ゲーム機を提供することにある。
【課題を解決するための手段】
【０００８】
本発明は、筐体内に景品が収容される景品取得ゲーム機において、景品が載置される複数の景品フロアを個別に上下方向に摺動させて高さを調整する、前記複数の景品フロアのそれぞれに対応する複数の昇降機構が配置され、前記複数の景品フロアが上下方向で重なるように前記昇降機構に装着され、前記複数の昇降機構は、前記複数の景品フロアを密着させた状態から個別に移動させて高さを調整できることを特徴とする。
【発明の効果】
【０００９】
本発明によれば、複数の景品フロアをそれぞれに対応する昇降機構によって個別に高さを調整する構成であっても、複数の景品フロアを上下方向で重なるようにそれぞれの昇降機構に装着することで、景品フロアの面積を増大させて、景品フロアに載置することができる景品数を増大させることができる。
【発明を実施するための最良の形態】
【００１０】
以下、図面を参照して本発明の実施の形態について説明する。  
図１は、本実施形態における景品取得ゲーム機の構成を示すブロック図である。図１に示す景品取得ゲーム機は、クレーンゲーム機１０として構成されている。なお本発明は、クレーンゲーム機１０に限らず、筐体（ケーシング）内に複数の景品が収容され、クレーン（キャッチャー部）以外の機構によって景品を取得することができるゲーム機に適用することが可能である。
【００１１】
図１に示すクレーンゲーム機１０は、底面部が例えば四分円形（扇形）のゲームフィールドが設けられた４つのターミナルを連結して構成された例を示している。なお、２つのターミナルを連結して半円形のゲームフィールドが形成されていても良いし、半円形のゲームフィールドが形成されたクレーンゲーム機１０に、例えば長方形等の他の形状のゲームフィールドが形成されたターミナル（クレーンゲーム機）が連結された構成とすることもできる。
【００１２】
図１に示すクレーンゲーム機１０において、下部筐体１２には、ターミナル毎に景品取出口２０が設けられている。景品取出口２０は、ゲームフィールド内に設けられた景品落とし口３２と連通しており、景品落とし口３２に落とされた景品を取得することができる。下部筐体１２の上面部には、遊戯者によって操作がされるコンパネ部２１が設けられている。コンパネ部２１には、ジョイスティック２２、ボタン２３、コイン投入口２４、スピーカ等が設けられている。コンパネ部２１は、４つのターミナルのそれぞれに設けられている。
【００１３】
上部筐体１４では、透明板（図示せず）によってゲームフィールドと外部とを区分している。透明板内のゲームフィールドには、景品フロア３０、キャッチャー部３１、景品落とし口３２等が設けられている。
【００１４】
本実施形態におけるクレーンゲーム機１０には、ゲームフィールド内において、例えば３段（上段、中段、下段）の景品フロア３０が設けられている。３段の景品フロア３０のうち中段と上段については高さを任意に調整することができる。なお、図１に示すクレーンゲーム機１０は、４つのターミナルを連結して構成されているが、ターミナル毎に個別に景品フロア３０の高さを調整することができる。
【００１５】
キャッチャー部３１は、コンパネ部２１に設けられたジョイスティック２２（あるいはボタン２３）に対する遊戯者の操作に応じて、ゲームフィールド内において景品を把持するための動作を行う。キャッチャー部３１は、一連の景品を把持するための動作をした後、景品落とし口３２の上部まで移動してアームを開いて景品を落下させるための動作を行う。キャッチャー部３１によって景品が把持されていた場合には、景品が景品落とし口３２に落下し、景品落とし口３２と連通している景品取出口２０まで導かれる。
【００１６】
図２は、本実施形態におけるクレーンゲーム機１０のゲームフィールド内を側面からみた図である。図２に示すように、下段の景品フロア３０ａ、中段の景品フロア３０ｂ、上段の景品フロア３０ｃが設けられており、下段側から順番に上面の面積を狭くすることで階段状にして、それぞれに景品を載置することができるようにしている。景品フロア３０ｂ，３０ｃは、それぞれに対応して設けられた昇降機構の上部に装着されることで、個別に高さを調整することができる。昇降機構の詳細な構成については後述する。
【００１７】
図２に示すように、筐体の奥側に配置されている景品フロア３０ｃは、前面側（コンパネ部２１側）の景品フロア３０ｂの上側に位置し、景品フロア３０ｂの一部を覆うサイズとなっている。同様に、奥側の景品フロア３０ｂは、前面側の景品フロア３０ａの上側にあり、景品フロア３０ａの一部を覆っている。すなわち、景品フロア３０ａ，３０ｂ，３０ｃを上下方向で一部が重なるサイズに形成することで、景品フロア３０ａ，３０ｂ，３０ｃの上面の面積の合計がゲームフィールドの面積より広くなるようにして、景品を載置できる数の増大を図っている。
【００１８】
図３は、景品フロア３０ｂ，３０ｃの位置を昇降機構によって高くした状態を示す図である。図３（ａ）は、景品フロア３０ａ，３０ｂ，３０ｃの状態を示す斜視図、図３（ｂ）は、図３（ａ）に対応する側面図である。
【００１９】
本実施形態におけるクレーンゲーム機１０では、景品フロア３０ａについては高さの変更を行わず固定とし、中段の景品フロア３０ｂについては中段昇降機構４０によって高さを調整し、上段の景品フロア３０ｃについては上段昇降機構４１によって高さを調整することができるようにしている。中段昇降機構４０，４１は、それぞれ個別に上下方向に摺動可能に構成されており、それぞれ上下方向に連続して複数配置された中段ロック穴４３、上段ロック穴４４により任意の高さ位置で固定することができる。
【００２０】
図３（ａ）に示すように、景品フロア３０ａ，３０ｂ，３０ｃは、中心角位置を共通にした扇形の弧から一定の幅の形状となっている。すなわち、各段の景品フロア３０ａ，３０ｂ，３０ｃの形状が相似形となっているため弧の部分が同心円状に配置される。景品フロア３０ａ，３０ｂ，３０ｃが階段状になっているため、手前側の下段の景品フロア３０ａから奥の上段の景品フロア３０ｃに向かって、景品が山積みされているように多数の景品を載置することができる。また、図３（ａ）（ｂ）に示すように、景品フロア３０ｂ，３０ｃの位置を高くすることで、景品フロア３０ａ上の景品フロア３０ｂの下、また景品フロア３０ｂ上の景品フロア３０ｃの下にも景品を載置することができる。景品フロア３０ｂ，３０ｃの下に景品を載置するとキャッチャー部３１によって把持することができないが、景品をプレイヤにアピールしたり、景品を筐体内でストックしておくことができる。
【００２１】
また、景品フロア３０ｂ，３０ｃは、それぞれ個別に高さを調整することができるため、景品フロア３０ａ，３０ｂ，３０ｃのそれぞれに載置する景品の種類（形状、サイズ）に応じた適切な高さにして、景品をプレイヤにアピールすることができる。また、景品フロア３０ｂ，３０ｃの高さを調整することで、キャッチャー部３１による景品の取り易さに変化を与えて、プレイヤのゲームへの参加意欲を向上させることができる。
【００２２】
図４は、景品フロア３０ｂ，３０ｃの位置を昇降機構によって最も低くした状態を示す図である。図４（ａ）は、景品フロア３０ａ，３０ｂ，３０ｃの状態を示す斜視図、図４（ｂ）は、図４（ａ）に対応する側面図である。
【００２３】
図４に示すように、景品フロア３０ｂ，３０ｃを最も低くすることで、景品フロア３０ａ，３０ｂ，３０ｃを密着させることができる。景品フロア３０ａ，３０ｂ，３０ｃを密着させることで、低い階段状にすることができるので、比較的大きな景品を載置することも容易となる。
【００２４】
図５は、昇降機構の主要な構成を示す斜視図である。  
図５に示すように、景品フロア３０ａの奥側に中段昇降機構４０が設けられ、さらに中段昇降機構４０の奥側に上段昇降機構４１が設置されている。中段昇降機構４０と上段昇降機構４１が個々に上下方向に摺動可能となるように、設置位置が重複しない用に配置されている（図６参照）。
【００２５】
中段昇降機構４０には、中段台座５０、中段昇降部５１、中段スライドレール５２、中段コンストンスプリング５３が含まれる。中段台座５０は、少なくとも景品フロア３０ｂを上下方向に摺動可能とする高さを有して構成されたもので、底部が筐体に固定されている。中段昇降部５１は、その上部に景品フロア３０ｂが水平となるように装着されており、中段台座５０と係合されて、中段台座５０に沿って上下方向に摺動される。
【００２６】
中段台座５０には、中段昇降部５１の摺動方向に沿って複数の中段スライドレール５２が設けられている。中段昇降部５１は、中段スライドレール５２によって、中段台座５０と摺動可能となるように係合される。また、中段台座５０と中段昇降部５１との間には、複数（図５では２つ）の中段コンストンスプリング５３が設けられている。中段コンストンスプリング５３は、低荷重ばねであり、中段昇降部５１を手動により上下方向で摺動させる際に、その摺動幅に関係なく常に一定の力で操作できるように作用する。従って、中段昇降部５１の高さを調節する際の操作が容易となっている。また、中段昇降機構４０には、中段ロック穴４３に後述するロックロッド５５を貫通させることで、中段台座５０に対して中段昇降部５１を任意の高さで係止させるロック機構が設けられている。ロック機構の詳細については後述する（図６、図７）。
【００２７】
上段昇降機構４１は、中段昇降機構４０よりも奥側に配置されているため、扇形の中心角側に収納できるように中段昇降機構４０よりも小型に形成されている。上段台座６０には、上段昇降部６１の摺動方向に沿って複数の上段スライドレール６２が設けられている。上段昇降部６１は、上段スライドレール６２によって、上段台座６０と摺動可能となるように係合される。また、上段台座６０と上段昇降部６１との間には、複数（図５では２つ）の上段コンストンスプリング６３が設けられている。上段コンストンスプリング６３は、前述した中段コンストンスプリング５３と同様の作用を持つ。また、上段昇降機構４１には、上段ロック穴４４に後述するロックロッド６５を貫通させることで、上段台座６０に対して上段昇降部６１を任意の高さで係止させるロック機構が設けられている。
【００２８】
図６及び図７は、中段昇降機構４０及び上段昇降機構４１に設けられたロック機構を説明するための図である。図６（ａ）は、中段昇降機構４０と上段昇降機構４１のロック状態を示す平面断面図、図６（ｂ）は、同じくロック解除状態を示す平面断面図である。図７（ａ）は、上段昇降機構４１のロック状態を示す斜視図、図７（ｂ）は、上段昇降機構４１のロック解除状態を示す斜視図である。
【００２９】
ここでは、上段昇降機構４１を対象としてロック機構について説明する。図７（ａ）（ｂ）に示すように、上段昇降部６１の上端部には、水平に回転可能なハンドル基台６６が設けられ、このハンドル基台６６に対して抜き差し可能なハンドル７０が設けられている。ハンドル７０は、ハンドル基台６６と共に水平方向に所定範囲内で回転可能となっており、景品フロア３０に景品が載置される通常時では（図７（ａ））、ハンドル基台６６に設けられた溝に差し込まれる。これにより、ハンドル７０が溝に収納されて上面が水平になり、景品を載置する際に支障とならないようにできる。また、ハンドル７０をハンドル基台６６に差し込むことで、ハンドル７０の下端部が、ハンドル基台６６の下部に配置されたハンドル支持台７１の回り止め７２に挿入される。ハンドル支持台７１は、上段昇降部６１に固定されているため、ハンドル７０の端部が回り止め７２に挿入されることで、ハンドル７０が回転しないように保持される。
【００３０】
また、ハンドル基台６６の回転中心部には、垂直方向に延びるシャフト７３が装着されている。シャフト７３は、ハンドル７０が回り止め７２から抜き出されて回転されることにより（図７（ｂ））、ハンドル７０の回転に伴って軸回転する。
【００３１】
シャフト７３の下端部には、回転支持基台６４が装着されている。回転支持基台６４は、シャフト７３の回転に伴い水平に回転する。回転支持基台６４には、異なる２方向にそれぞれ延びる２本のロックロッド６５が水平に取り付けられている。ロックロッド６５は、上段昇降部６１を上段台座６０に対して、任意の高さで係止させるためのものある。ロックロッド６５は、上段昇降部６１に設けられた穴を通じて、上段台座６０に上下方向に配置された複数の上段ロック穴４４の何れかに貫通されることで上段台座６０に対する上段昇降部６１の位置を固定する。
【００３２】
ロックロッド６５は、回転支持基台６４の回転に伴って長さ方向に摺動される。シャフト７３の下端部には、バネ７５が設けられており、ロックロッド６５を上段ロック穴４４に貫通させる方向に付勢している。
【００３３】
従って、上段昇降部６１の高さを調整する場合には、ハンドル７０をハンドル基台６６の溝から取り出すことで、ハンドル７０の下端部を回り止め７２から抜き出して回転可能な状態にする。そして、バネ７５による付勢に反する方向にハンドル７０を回転させることにより、ハンドル支持台７１、シャフト７３、回転支持基台６４を回転させる。これにより、図６（ｂ）及び図７（ｂ）に示すように、ロックロッド６５が上段ロック穴４４から抜き出されて、上段昇降部６１を上下方向に摺動可能な状態となる。ここで、ハンドル７０を持って、ロックロッド６５が上段ロック穴４４から抜き出された状態のまま上段昇降部６１を任意の高さに合わせる。
【００３４】
そして、ハンドル７０の回転をバネ７５による付勢に従って戻すことにより、ロックロッド６５が上段ロック穴４４の何れかに貫通される。ハンドル７０をハンドル基台６６の溝に収納することで、ハンドル７０の下端部が回り止め７２に挿入され、ハンドル７０が回転されないように保持される。
【００３５】
なお、中段昇降機構４０についても、図７（ａ）（ｂ）に示す上段昇降機構４１と同様の構成からなるロック機構が設けられており詳細な説明を省略する。
【００３６】
このようにして、本実施形態におけるクレーンゲーム機１０では、景品フロア３０ｂと景品フロア３０ｃを、それぞれに対応して設置された中段昇降機構４０、上段昇降機構４１によって個別に高さ調整することができる。景品フロア３０ｂ、景品フロア３０ｃは、それぞれ前面側に位置する景品フロア３０ａ、景品フロア３０ｂと上下方向で重なるサイズに形成されているため、各景品フロアに載置できる数を増大させ、筐体内に収容される景品数を増大させることができる。また、各景品フロア３０ａ，３０ｂ，３０ｃを扇形として、階段状に配置しているので、景品に合わせて景品フロア３０ｂ，３０ｃの高さを調整して、景品をプレイヤに対してアピールするようにレイアウトすることができる。よって、プレイヤのゲームへの参加意欲の向上を図ることができる。
【００３７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３８】
【図１】本実施形態におけるクレーンゲーム機の構成を示すブロック図。
【図２】本実施形態におけるクレーンゲーム機のゲームフィールド内を側面からみた図。
【図３】景品フロア３０ｂ，３０ｃの位置を昇降機構によって高くした状態を示す図。
【図４】景品フロア３０ｂ，３０ｃの位置を昇降機構によって最も低くした状態を示す図。
【図５】昇降機構の主要な構成を示す斜視図。
【図６】中段昇降機構４０及び上段昇降機構４１に設けられたロック機構を説明するための平面断面図。
【図７】上段昇降機構４１に設けられたロック機構を説明するための斜視図。
【符号の説明】
【００３９】
１０…クレーンゲーム機、１２…下部筐体、１４…上部筐体、２０…景品取出口、２１…コンパネ部、２２…ジョイスティック、２３…ボタン、２４…コイン投入口、３０，３０ａ，３０ｂ，３０ｃ…景品フロア、３１…キャッチャー部、３２…景品落とし口、４０…中段昇降機構、４１…上段昇降機構、４３…中段ロック穴、４４…上段ロック穴、５０…中段台座、５１…中段昇降部、５２…中段スライドレール、５３…中段コンストンスプリング、５４，６４…回転支持基台、５５，６５…ロックロッド、６０…上段台座、６１…上段昇降部、６２…上段スライドレール、６３…上段コンストンスプリング、６４…ハンドル基台、６５…ロックロッド、６６…ハンドル基台、７０…ハンドル、７１…ハンドル支持台、７２…回り止め、７３…シャフト、７５…バネ。
【図１】
0005232491.tif 000002
【図２】
0005232491.tif 000003
【図３】
0005232491.tif 000004
【図４】
0005232491.tif 000005
【図５】
0005232491.tif 000006
【図６】
0005232491.tif 000007
【図７】
0005232491.tif 000008